(57)【特許請求の範囲】
【請求項１】
柱に取り付けられる駆動・支持機構と、
前記柱の周りに配置され、前記駆動・支持機構によって支持及び駆動される環状の表示ユニットと、
前記表示ユニット内に設けられた制御装置と、
前記表示ユニット及び前記制御装置に必要な電力を供給するために前記柱に取り付けられる電力供給装置と、
前記表示ユニットの角度位置信号を検出し、前記角度位置信号を前記制御装置に送信するために前記柱と前記表示ユニットとの間に配置された角度符号化装置とを含み、
映像及び制御の信号が前記制御装置に無線で伝送され、それによって、人の視覚における残像を用いた映像を表示するために前記表示ユニットに取り付けられた発光装置が駆動される、映像表示のための回転表示装置。
【請求項２】
前記表示ユニットは、上導電環と下導電環との間に等角度で取り付けられた複数の発光モジュールを有し、
前記上導電環及び前記下導電環は、前記電力供給装置からの正及び負の電圧を前記表示ユニットに送るように前記電力供給装置と接触し、
前記上導電環及び前記下導電環は、前記柱の周りに配置されるように複数の弓状部分を含み、
各発光モジュールは発光ダイオードを含む複数の発光装置を有する垂直方向に長い条片であり、各発光装置は、前記上導電環及び前記下導電環を含む電気回路を形成しかつ前記制御装置を含む信号回路を形成して前記条片に取り付けられ、前記電力供給装置は、前記表示ユニットの上部及び基部の位置において柱に取り付けられる少なくとも１組の電気刷子モジュールを含み、
各電気刷子モジュールは、
内部に水銀又は炭素の刷子を有しかつ前記電力供給装置の１つの極に接続している導電シェルと、
前記電気刷子モジュール内で前記水銀又は炭素の刷子と接触している第１の端部を有する前記電気刷子モジュールに回転可能に取り付けられた導電ロッドと、前記接触輪と前記上導電環及び前記下導電環との間の接触によって前記正及び負の電圧が前記上導電環及び前記下導電環に送られるように第２の端部に取り付けられた導電材料からなる接触輪とを含む、請求項１に記載の回転表示装置。
【請求項３】
前記角度符号化装置は、前記柱と前記表示ユニットとの間に設けられ、
角度位置バーコードが前記柱の周りの適切な位置に設けられ、
前記制御装置に接続された、電荷結合素子を用いたカメラが、該カメラが前記角度位置バーコードを読み取ることによって前記表示ユニットの前記角度位置信号を検出するように前記表示ユニットの対応する位置に設けられ、
前記制御装置は、マイクロ波受信装置と主制御回路とを含み、
前記マイクロ波受信装置は、無線で伝送された映像信号を受信しかつ該信号を前記主制御回路に送信し、前記主制御回路は、受信された映像信号の角度位置及び時系列に従って前記表示ユニットの各発光モジュールを点灯させる、請求項１に記載の回転表示装置。
【発明の詳細な説明】
【０００１】
【発明の属する技術分野】
本発明は、回転表示装置に関し、特に、３６０度のパノラマ映像を生ずるように回転表示装置が柱に取り付けられる、柱を囲むように設けられる回転表示装置に関する。
【０００２】
【従来の技術】
従来の大型表示装置では発光ダイオード（以下「ＬＥＤ」という。）が用いられている（しばしば数十万個のＬＥＤが用いられている）。さらに高解像度の表示装置ではより多くのＬＥＤが必要となる。ＬＥＤの数が増加すれば、その費用も増加するばかりでなく、表示装置が故障エレメントを有する可能性も増加する。この問題を解決するために、発明の名称を「時空間分割回転電子表示装置（Ｓｐａｃｅｔｉｍｅ−Ｄｉｖｉｄｉｎｇ  Ｒｏｔａｔｉｏｎａｌ  Ｅｌｅｃｔｒｏｎｉｃ  Ｄｉｓｐｌａｙ）」とする台湾特許出願第８５，２０２，６０５号、米国特許第５，８１８，４０１号及び中国特許第ＺＬ９６２２９１３６号がある。これらの特許出願において、複数列の発光装置が回転体に等距離又は等角度で取り付けられている。各列の発光装置は多数の発光源を含む。回転体が回転したとき、各発光装置の種々の発光源は種々の空間的位置で励起される。人の目に生じる映像に関する残像の結果、回転体の回転面に仮想表示が作り出される。
【０００３】
前記した出願において、必要なＬＥＤの数を著しく減少させ、したがって、故障エレメントを有する可能性が低減することにより、各出願に係る発明は、台湾特許第１２０，００３号、米国特許第５，８１８，４０１及び中国特許第９６２２９１３６号として特許された。
【０００４】
前記した説明から、時空間を分割しかつ人の目の残像を利用することによって、仮想表示を形成するために回転体に必要な発光装置は相対的に少なくてよいことが理解できる。しかし、現存の回転表示装置は、独立した装置として用いることができるのみである。従来の平坦な大型表示装置は、映像を表示するために大規模な建築物の壁に取り付けられている。回転表示装置が建築物の柱の周りに同様に取り付けられれば、その応用を広範囲に拡大させることができる。
【０００５】
【発明が解決しようとする課題】
本発明の目的は、３６０度のパノラマ映像を生じさせるためにいかなる種類の柱にも取り付けることができる回転表示装置を提供することにある。そのような回転表示装置を高層建築物の柱に取り付けることによって、装飾又は広告や情報の表示に用いることができる。
【０００６】
【課題を解決する解決手段、作用及び効果】
本発明に係る回転表示装置は、駆動・支持機構と、環状の表示ユニットと、電力供給装置と、制御装置と、角度符号化装置とを含む。前記駆動・支持機構は柱に取り付けられる。前記環状の表示ユニットは、前記柱の周りに配置され、前記駆動・支持機構によって支持され、駆動される。前記電力供給装置は前記柱に取り付けられる。前記制御装置は前記表示ユニットに設けられている。前記角度符号化装置は前記柱と前記表示ユニットとの間に設けられている。
【０００７】
映像信号は、前記表示ユニットの前記発光装置を点灯させるために、前記制御装置に無線で伝送される。人の目に生じる映像に関する残像により、３６０度のパノラマ映像が作り出される。回転表示装置の構造は、前記表示ユニットが容易に取り付けられるように調整されている。
【０００８】
前記駆動・支持機構は少なくとも３つのモータを含む。各モータは前記柱に取り付けられ、前記モータのシャフトは前記柱から径方向に外方に向けられており、前記シャフトの端部に駆動輪が取り付けられている。前記駆動輪は前記表示ユニットを支持している。前記モータが作動したとき、前記駆動輪は前記表示ユニットを回転させる。
【０００９】
前記表示ユニットは、複数の組の発光モジュールと、上導電環と、下導電環とを含む。前記発光モジュールは、前記上導電環と前記下導電環との間に等角度で垂直に取り付けられている。前記上導電間及び前記下導電環は、正及び負の電力が前記上導電環及び前記下導電環によって供給されるように、前記電力供給装置に電気的に接続されている。前記発光モジュールは、発光ダイオードを有する垂直の長い条片又は前記条片に沿って一列に取り付けられた同等の光源を含む。各発光ダイオードは前記条片内に取り付けられ、各発光ダイオードと前記上導電環及び前記下導電環との間に電気回路が形成されている。信号回路が、各発光ダイオードと前記制御装置との間に形成されている。
【００１０】
前記上及び下導電環は、前記上及び下導電環が好都合に柱の周りに取り付けられるように複数の弓状部分を含む。電力供給装置は、前記柱の頂部及び基部の周りに１以上の電気刷子モジュールを有する。各電気刷子モジュールは、水銀又は炭素の刷子で満たされた導電シェルを有する。前記電気刷子モジュールは電力供給装置の１つの極に接続している。前記電気刷子モジュール内の前記水銀又は炭素の刷子と接触している１つの端部を有する前記導電シェルによって導電ロッドが回転可能に取り付けられており、導電材料からなる接触輪が他の端部に取り付けられている。前記接触輪と前記導電環との接触によって、前記正及び負の電力は前記上及び下の導電環に送られている。
【００１１】
前記電力供給装置は、さらに、前記電気刷子モジュールを前記柱に結合させるための弾性接続器を含む。前記弾性接続器は、前記表示ユニットの回転によって起こりうる振動を低減するために、前記電気刷子モジュールのための緩衝力を供給する。したがって、前記電気刷子モジュールは、前記接触輪によって前記表示ユニットの前記上及び下導電環との堅い接触をもたらしかつ維持することができる。
【００１２】
角度符号化装置は前記柱と前記表示ユニットとの間に取り付けられている。角度位置バーコードが前記柱の適切な位置に設けられている。前記制御装置に接続された、電荷結合素子を用いたカメラが、該カメラが前記バーコードを読み取ることによって前記表示ユニットの前記角度信号を検出することができるように、前記表示ユニットの対応する位置に設けられている。
【００１３】
前記制御装置は、少なくともマイクロ波受信装置と主制御回路とを含む。前記マイクロ波受信装置は、無線で伝送された映像信号を受信しかつ該信号を前記主制御回路に送る。前記主制御回路は、適切な時間及び空間で前記表示ユニットの各発光モジュールを点灯させる。
【００１４】
【発明の実施の形態】
図１、図２を参照するに、本発明に係る回転表示装置の好ましい実施例は、駆動・支持機構１０と、環状の表示ユニット２０と、制御装置３０と、電力供給装置４０と、角度符号化装置５０とを含む。駆動・支持機構１０は建築物の柱１００に取り付けられている。環状の表示ユニット２０は、柱１００の周りに配置されており、駆動・支持機構１０によって支持され、駆動される。制御装置３０は表示ユニット２０内に設けられている。電力供給装置４０は、表示ユニット２０と制御装置３０とに必要な電力を供給するために柱１００に取り付けられている。角度符号化装置５０は、表示ユニット２０の角度位置を検出するために柱１００と表示ユニット２０との間に配置されている。
【００１５】
駆動・支持機構１０は３つ以上のモータ１１を含む。好ましい実施例においては、３つのモータを用いる。各モータ１１は回転シャフトを有し、各モータ１１の一端は柱１００に取り付けられている。各モータ１１のシャフトは、柱１００から半径方向に外方へ伸びており、シャフトの外方端に駆動輪１２が取り付けられている。駆動輪１２は、図３、図４に示すように等角度で表示ユニット２０を支持している。
【００１６】
表示ユニット２０は、上導電環２１と、下導電環２２と、上下の導電環２１、２２間に垂直に取り付けられた複数組の発光モジュール２３とを含む。上導電環２１は、駆動輪１２によって駆動・支持機構１０に支持されている。各発光モジュール２３は垂直方向に長い条片であり、複数の発光ダイオードすなわちＬＥＤ２３０又は同等の光源装置が条片の外面に取り付けられている。各ＬＥＤ２３０は、上導電環２１及び下導電環２２間の電気回路と、制御装置３０を有する信号回路とを閉じている。
【００１７】
表示ユニット２０の上導電環２１、下導電環２２は、複数の弓状部分２１０、２２０を含み、複数の弓状部分２１０、２２０それぞれを柱１００の周りに互いに結びつけることによって、柱１００の周りに配置されている。さらに、上導電環２１、下導電環２２は、電力供給装置４０が上導電環２１、下導電環２２を経る正負の電力を供給するように、電力供給装置４０と接触している。
【００１８】
図１、図５に示すように、電力供給装置４０は、表示ユニット２０の上及び下の部分（すなわち上下の導電環）に対応する位置において柱１００の周りに配置された複数の電気刷子モジュール４１を含む。この実施例においては、柱１００の上及び下の部分の周りに２組の電気刷子モジュール４１が配置されている。電気刷子モジュール４１は、内部に水銀又は炭素の刷子４５を有する導電シェルを含む。水銀又は炭素の刷子はＤＣ電源の１つの極に電気的に接続している。
【００１９】
導電ロッド４２は、各電気刷子モジュール４１のシェルに回転可能に取り付けられている。導電ロッド４２の一端は電気刷子モジュール４１内の水銀又は炭素の刷子に接触し、導電材料からなる接触輪４３は他端に取り付けられている。接触輪４３は、正負の電力が上下の導電環２１、２２それぞれに流れるように上下の導電環２１、２２に堅く接触している。上下の導電環２１、２２が回転したとき、導電環２１、２２の内側は電気刷子モジュール４１上の接触輪４３と常に堅く接触している（図５）。
【００２０】
表示ユニット２０は自身が回転したとき振動する又は厳密に円形でないので、電力供給装置４０は、さらに、電気刷子モジュール４１の接触輪４３と上下の導電環２１、２２との間の接触を確実にするために弾性接続器４４を含む。この実施例においては、弾性接続器４４は、電気刷子モジュール４１を柱１００に接続させるバネである。弾性接続器４４は、表示ユニット２０の作動の間起こりうる振動の影響を相殺するために、緩衝力を電気刷子モジュール４１に与える。したがって、電気刷子モジュール４１は表示ユニット２０の上下の導電環２１、２２と堅く接触する。
【００２１】
図６を参照するに、制御装置３０は、マイクロ波受信装置３１と主制御回路３２とを含む。制御装置３０は遠隔制御ホスト６０との信号接続を行う。制御ホスト６０は、少なくとも、デジタル映像再生装置６１と、デジタル映像処理装置６２と、マイクロ波送信装置６３とを含む。デジタル映像再生装置６１がデジタル映像信号を送出したとき、デジタル映像処理装置６２は符号化のような処理を実行する。その後、マイクロ波送信装置６３は、処理された信号を制御装置３０に送信する。
【００２２】
制御装置３０は、制御ホスト６０から送られたマイクロ波信号を受信するためにマイクロ波受信装置３１を用いる。受信された信号は、処理のために主制御回路に送られる。それらの信号は表示ユニット２０の各発光モジュール２３へ出力され、映像を形成して表示するために特定のＬＥＤ２３０が点灯される。
【００２３】
図１、図２に示すように、角度符号化装置５０は、柱１００の周りの適切な位置に取り付けられたガレイ（Ｇａｒａｙ）角度位置バーコード５１と、表示ユニット２０の適切な位置に取り付けられた、固体撮像素子として電荷結合素子を用いたカメラ（以下「ＣＣＤカメラ」という。）５２とを含む。好ましい実施例において、ＣＣＤカメラ５２は、下導電間２２に取り付けられ、制御装置３０の主制御回路３２に接続している。ＣＣＤカメラ５２によって感知された角度位置バーコード５１の信号を用いることによって、表示ユニットの角度位置が検出される。
【００２４】
さらに、表示ユニット２０を塵や水あるいは異物による衝撃から保護するために、表示ユニット２０の外側に透明な被覆体（図示しない）を取り付けることができる。
【００２５】
回転表示装置を作動させるために、駆動・支持機構１０のモータ１１は、表示ユニット２０を回転させるモータ１１のシャフトに取り付けられた駆動輪１２を回転させる。制御装置３０のマイクロ波受信装置３１は、制御ホスト６０から送られたデジタルマイクロ波映像信号を受信する。主制御回路３２は、受信した信号に従って表示ユニット２０の発光モジュール２３を点灯させる。角度符号化装置５０のＣＣＤカメラ５２は、柱１００の角度位置バーコード５１を連続的に読み取り、表示ユニット２０の角度位置信号を制御装置３０に供給する。発光モジュール２３は、受信した映像信号の角度位置及び時系列に従って点灯される。人の視覚における残像を利用することによって３６０度のパノラマ映像が作り出される。
【００２６】
本発明に係る回転表示装置は以下の利点を有する。
１  本発明に係る回転表示装置は装飾及び広告の効果を有する。大画面の表示装置はほとんどの商業広告に関連している。本発明に係る、柱を囲むように設けられる回転表示装置を用いることにより、回転表示装置を、円筒状の塔や、構造を装飾するための建築物のいかなる柱にも取り付けることができる。
２  本発明に係る回転表示装置は好都合に取り付けられる。本発明に係る装置及び構造は既に調整されているので、本発明に回転表示装置を好都合にかつ効率よく取り付けることができる。
３  本発明に係る回転表示装置は無線送信を用いている。無線制御及び信号伝送によって、架線工事は簡単であり、組み立てが容易である。故障の可能性が低減する。
【００２７】
本発明は、上記実施例に限定されず、その趣旨を逸脱しない限り、種々変更することができる。
【図面の簡単な説明】
【図１】本発明に係る回転表示装置の斜視図。
【図２】図１の回転表示装置の部分側面図。
【図３】図１の回転表示装置の頂部の拡大部分側面図。
【図４】図１の回転表示装置の頂部の部分平面図。
【図５】図２の回転表示装置の頂部の部分前面図。
【図６】図１の回転表示装置の回路ブロック図。
【符号の説明】
１０  駆動・支持機構
１１  モータ
１２  駆動輪
２０  環状の表示ユニット
２１  上導電環
２２  下導電環
２３  発光モジュール
３０  制御装置
３１  マイクロ波受信装置
３２  主制御回路
４０  電力供給装置
４１  電気刷子モジュール
４２  導電ロッド
４３  接触輪
４４  弾性接続器
４５  刷子
５０  角度符号化装置
５１  角度位置バーコード
５２  電荷結合素子を用いたカメラ
６０  遠隔制御ホスト
６１  デジタル映像再生装置
６２  デジタル映像処理装置
６３  マイクロ波送信装置
１００  柱
２１０、２２０  弓状部分
２３０  発光ダイオード
【図１】
0003602086.tif 000002
【図２】
0003602086.tif 000003
【図３】
0003602086.tif 000004
【図４】
0003602086.tif 000005
【図５】
0003602086.tif 000006
【図６】
0003602086.tif 000007